(57)【特許請求の範囲】
【請求項１】
商品を予め決められた目標温度を含む常温域に調整して収容する商品収容庫を備えた自動販売機において、
前記商品収容庫の庫内温度が前記目標温度よりも高い許容上限温度を超える場合には、該商品収容庫の内部空気を冷却する一方、前記商品収容庫の庫内温度が前記許容上限温度以下となる場合には冷却を停止する冷却手段と、
前記商品収容庫の庫内温度が前記目標温度よりも低い許容下限温度を下回る場合には、該商品収容庫の内部空気を加熱する一方、前記商品収容庫の庫内温度が前記許容下限温度以上となる場合には加熱を停止する加熱手段と、
前記商品収容庫の庫内温度が前記目標温度よりも高く、かつ前記許容上限温度よりも低い第１動作温度を超える場合、あるいは該庫内温度が前記目標温度よりも低く、かつ前記許容下限温度よりも低い第２動作温度を下回る場合には、該商品収容庫の内部空気を送風する一方、前記商品収容庫の庫内温度が前記第１動作温度以下となる場合、あるいは該庫内温度が前記第２動作温度以上となる場合には駆動を停止する庫内送風手段と
を備えたことを特徴とする自動販売機。
【発明の詳細な説明】
【技術分野】
【０００１】
本発明は、自動販売機に関し、より詳細には、例えば缶入り飲料やペットボトル入り飲料等の商品を所望の温度に調整して販売する自動販売機に関するものである。
【背景技術】
【０００２】
従来、例えば缶入り飲料やペットボトル入り飲料等の商品を販売する自動販売機として、断熱筐体である本体キャビネットの内部に、商品を収容する商品収容庫が配設されているのが一般的である。この種の自動販売機においては、商品を常温にて収容する商品収容庫、いわゆる常温庫を備えたものが知られている。
【０００３】
かかる常温庫を備えた自動販売機においては、商品を冷却した状態で収容する商品収容庫（冷却庫）の冷却された空気を必要に応じて常温庫に送出して当該常温庫の庫内温度を所望の温度範囲となるように調整している（例えば、特許文献１参照）。
【先行技術文献】
【特許文献】
【０００４】
【特許文献１】特開２００４−２５８７８５号公報
【発明の概要】
【発明が解決しようとする課題】
【０００５】
ところが、上述した自動販売機では、冷却庫の冷却された空気を必要に応じて常温庫に送出して、該常温庫の庫内温度を所望の温度範囲となるように調整していたために、外気温度が例えば１５℃程度の春季や秋季、あるいは外気温度が３０℃以上となる夏季等においては、常温庫の庫内温度を所望の温度範囲に調整することは可能であるが、外気温度が例えば５℃程度の冬季では、常温庫の庫内温度を所望の温度範囲に調整することが困難であった。
【０００６】
本発明は、上記実情に鑑みて、外気温度に影響を受けずに商品を予め決められた目標温度を含む所定の常温域に調整して収容することができる自動販売機を提供することを目的とする。
【課題を解決するための手段】
【０００８】
上記目的を達成するために、本発明に係る自動販売機は、商品を予め決められた目標温度を含む常温域に調整して収容する商品収容庫を備えた自動販売機において、前記商品収容庫の庫内温度が前記目標温度よりも高い許容上限温度を超える場合には、該商品収容庫の内部空気を冷却する一方、前記商品収容庫の庫内温度が前記許容上限温度以下となる場合には冷却を停止する冷却手段と、前記商品収容庫の庫内温度が前記目標温度よりも低い許容下限温度を下回る場合には、該商品収容庫の内部空気を加熱する一方、前記商品収容庫の庫内温度が前記許容下限温度以上となる場合には加熱を停止する加熱手段と、前記商品収容庫の庫内温度が前記目標温度よりも高く、かつ前記許容上限温度よりも低い第１動作温度を超える場合、あるいは該庫内温度が前記目標温度よりも低く、かつ前記許容下限温度よりも低い第２動作温度を下回る場合には、該商品収容庫の内部空気を送風する一方、前記商品収容庫の庫内温度が前記第１動作温度以下となる場合、あるいは該庫内温度が前記第２動作温度以上となる場合には駆動を停止する庫内送風手段とを備えたことを特徴とする。
【発明の効果】
【０００９】
本発明の自動販売機によれば、冷却手段が、商品収容庫の庫内温度が目標温度よりも高い許容上限温度を超える場合には、該商品収容庫の内部空気を冷却する一方、商品収容庫の庫内温度が目標温度以下となる場合には冷却を停止し、加熱手段が、商品収容庫の庫内温度が目標温度よりも低い許容下限温度を下回る場合には、該商品収容庫の内部空気を加熱する一方、商品収容庫の庫内温度が目標温度以上となる場合には加熱を停止するので、外気温度に影響を受けずに商品を予め決められた目標温度を含む所定の常温域に調整して収容することができるという効果を奏する。
【００１０】
本発明の自動販売機によれば、冷却手段が、商品収容庫の庫内温度が目標温度よりも高い許容上限温度を超える場合には、該商品収容庫の内部空気を冷却する一方、商品収容庫の庫内温度が許容上限温度以下となる場合には冷却を停止し、加熱手段が、商品収容庫の庫内温度が目標温度よりも低い許容下限温度を下回る場合には、該商品収容庫の内部空気を加熱する一方、商品収容庫の庫内温度が許容下限温度以上となる場合には加熱を停止し、庫内送風手段が、商品収容庫の庫内温度が目標温度よりも高く、かつ許容上限温度よりも低い第１動作温度を超える場合、あるいは該庫内温度が前記目標温度よりも低く、かつ前記許容下限温度よりも低い第２動作温度を下回る場合には、該商品収容庫の内部空気を送風する一方、商品収容庫の庫内温度が第１動作温度以下となる場合、あるいは該庫内温度が第２動作温度以上となる場合には駆動を停止するので、冷却手段及び庫内送風手段が駆動する温度域、加熱手段及び庫内送風手段が駆動する温度域、庫内送風手段のみが駆動する温度域及びいずれも駆動させない温度域を形成することができる。そして、庫内送風手段のみが駆動する温度域を設けたことで、庫内温度が許容上限温度を超える回数、並びに庫内温度が許容下限温度を下回る回数を低減させることができ、これにより冷却手段及び加熱手段の駆動回数を低減させることができ、消費電力量の低減化を図りながら、外気温度に影響を受けずに商品を予め決められた目標温度を含む所定の常温域に調整して収容することができるという効果を奏する。
【図面の簡単な説明】
【００１１】
【図１】図１は、本発明の実施の形態１である自動販売機の内部構造を正面から見た場合を示す断面図である。
【図２】図２は、図１に示した自動販売機の内部構造を示す断面側面図である。
【図３】図３は、本発明の実施の形態１である自動販売機の特徴的な制御系を模式的に示すブロック図である。
【図４】図４は、制御部が実施する常温域制御処理の処理内容を示すフローチャートである。
【図５】図５は、本発明の実施の形態２である自動販売機の特徴的な制御系を模式的に示すブロック図である。
【図６】図６は、制御部が実施する常温域制御処理の処理内容を示すフローチャートである。
【発明を実施するための形態】
【００１２】
以下に添付図面を参照して、本発明に係る自動販売機の好適な実施の形態について詳細に説明する。
【００１３】
＜実施の形態１＞
図１は、本発明の実施の形態１である自動販売機の内部構造を正面から見た場合を示す断面図である。ここで例示する自動販売機は、本体キャビネット１を備えている。
【００１４】
本体キャビネット１は、前面が開口した直方状の形態を成すものである。この本体キャビネット１には、その内部に例えば２つの断熱仕切板２によって仕切られた３つの独立した商品収容庫３が左右に並んだ態様で設けてある。この商品収容庫３は、缶入り飲料やペットボトル入り飲料等の商品を所望の温度に維持した状態で収容するためのもので、断熱構造を有している。
【００１５】
図２は、図１に示した自動販売機の内部構造を示す断面側面図である。かかる図２に示すように、本体キャビネット１の前面には、外扉４及び内扉５が設けてある。外扉４は、本体キャビネット１の前面開口を開閉するためのものであり、内扉５は、商品収容庫３の前面を開閉するためのものである。この内扉５は、上下に分割してあり、上側の扉５ａは商品を補充する際に開閉するものである。
【００１６】
上記商品収容庫３には、商品収納ラック６、搬出機構７及び搬出シュータ８が設けてある。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００１７】
そして搬出シュータ８の下方域には蒸発器２４及びヒータＨが配設してある。蒸発器２４は背面ダクトＤの前面側に配設してあり、機械室９に配設された圧縮機２１、凝縮器２２、キャピラリーチューブ２３と冷媒配管２５を通じて順次接続されて冷凍サイクル２０を形成している。圧縮機２１は、吸引口を通じて冷媒を吸引し、吸引した冷媒を圧縮して高温高圧の状態（高温高圧冷媒）にして吐出口より吐出するものである。凝縮器２２は、通過する冷媒を凝縮させるものである。より詳細に説明すると、圧縮機２１で圧縮され、かつ吐出口から吐出されて冷媒配管２５を通じて送出された冷媒を周囲空気と熱交換させて凝縮させるものである。キャピラリーチューブ２３は、通過する冷媒を減圧して断熱膨張させるものである。
【００１８】
これら冷凍サイクル２０で冷媒を循環させることにより、圧縮機２１で圧縮された冷媒が凝縮器２２で凝縮され、その後にキャピラリーチューブ２３で断熱膨張されて蒸発器２４を通過する。冷媒が蒸発器２４を通過する際に、該蒸発器２４が配設された商品収容庫３の内部空気との間で熱交換が行われて、自身が蒸発して内部空気を冷却する。蒸発した冷媒は圧縮機２１に吸引される。
【００１９】
冷却された内部空気は庫内送風ファンＦ１の駆動により商品収容庫３の内部を移動し、これにより該商品収容庫３の商品収納ラック６に収納された商品は所望の温度（例えば５℃）に冷却されることになる。
【００２０】
ヒータＨは、蒸発器２４の前面側に配設してある。このヒータＨは通電状態となることにより周囲空気を加熱するものである。
【００２１】
ヒータＨにより加熱された空気は、庫内送風ファンＦ１の駆動により商品収容庫３の内部を移動し、これにより該商品収容庫３の商品収納ラック６に収納された商品は所望の温度（例えば５５℃）に加熱されることになる。
【００２２】
図３は、本発明の実施の形態１である自動販売機の特徴的な制御系を模式的に示すブロック図である。この図３に示すように、自動販売機は、庫内温度センサＳ１及び制御部３０を備えている。
【００２３】
庫内温度センサＳ１は、各商品収容庫３の内部にそれぞれ配設されており、自身が配設された商品収容庫３の庫内温度を検知して、その検知信号を制御部３０に出力するものである。
【００２４】
制御部３０は、メモリ４０に予め記憶されたプログラムやデータにしたがって各商品収容庫３の庫内温度を制御するものである。尚、この制御部３０は、自動販売機の基本動作を制御する主制御部（図示せず）に組み込まれていても良いし、該主制御部とは独立して設けてあっても良い。ここでメモリ４０には種々の情報が記憶してあり、本発明の特徴的なものとしては、常温域温度情報が記憶してある。常温域温度情報は、上記商品収容庫３のうち収容する商品を常温域に調整する商品収容庫（常温庫）３での目標温度及び許容上下限温度を含むものである。一例を示すと、目標温度が例えば２５℃で、許容上限温度が目標温度よりも例えば５℃高い３０℃、許容下限温度が目標温度よりも例えば５℃低い２０℃である。
【００２５】
制御部３０は、入力処理部３１、比較部３２、圧縮機駆動処理部３３及びヒータ駆動処理部３４を備えている。
【００２６】
入力処理部３１は、庫内温度センサＳ１からの温度信号を入力処理するものである。比較部３２は、入力処理部３１を通じて入力処理された庫内温度と、メモリ４０から読み出した目標温度及び許容上下限温度のいずれかとを比較するものである。圧縮機駆動処理部３３は、圧縮機２１に駆動指令、あるいは駆動停止指令を与えて駆動、あるいは駆動停止させるものである。ヒータ駆動処理部３４は、ヒータＨに駆動、あるいは駆動停止指令を与えて、通電状態、あるいは非通電状態にさせるものである。
【００２７】
図４は、制御部が実施する常温域制御処理の処理内容を示すフローチャートである。かかる処理内容を説明しながら本実施の形態１である自動販売機の動作について説明する。ここでは、一つの商品収容庫３が常温庫として設定されているものとし、かかる商品収容庫３の温度制御について説明する。
【００２８】
常温域制御処理における制御部３０は、圧縮機２１が駆動している状態で入力処理部３１を通じて当該常温庫３の庫内温度を入力処理した場合（ステップＳ１０１：Ｙｅｓ，ステップＳ１０２：Ｙｅｓ）、比較部３２を通じてメモリ４０より目標温度を読み出して、かかる目標温度と庫内温度とを比較する（ステップＳ１０３）。
【００２９】
庫内温度が目標温度以下となる場合には（ステップＳ１０３：Ｙｅｓ）、制御部３０は、圧縮機駆動処理部３３を通じて圧縮機２１に駆動停止指令を与えて圧縮機２１を駆動停止させ（ステップＳ１０４）、その後に手順をリターンさせて今回の処理を終了する。これによれば、当該常温庫３の庫内温度は、常温域にあり、その後上昇する方向に推移する。
【００３０】
庫内温度が目標温度を超える場合には（ステップＳ１０３：Ｎｏ）、制御部３０は、圧縮機２１の駆動を維持させ（ステップＳ１０５）、その後に手順をリターンさせて今回の処理を終了する。これによれば、当該常温庫３の庫内温度は、低下する方向に推移する。
【００３１】
圧縮機２１が駆動停止し、かつヒータＨが駆動している状態で入力処理部３１を通じて当該常温庫３の庫内温度を入力処理した場合（ステップＳ１０１：Ｎｏ，ステップＳ１０６：Ｙｅｓ，ステップＳ１０７：Ｙｅｓ）、制御部３０は、比較部３２を通じてメモリ４０より目標温度を読み出して、かかる目標温度と庫内温度とを比較する（ステップＳ１０８）。
【００３２】
庫内温度が目標温度以上となる場合には（ステップＳ１０８：Ｙｅｓ）、制御部３０は、ヒータ駆動処理部３４を通じてヒータＨに駆動停止指令を与えてヒータＨを駆動停止させ（ステップＳ１０９）、その後に手順をリターンさせて今回の処理を終了する。これによれば、当該常温庫３の庫内温度は、ヒータＨが非通電状態になるので常温域にあってその後に低下する方向に推移する。
【００３３】
庫内温度が目標温度を下回る場合には（ステップＳ１０８：Ｎｏ）、制御部３０は、ヒータＨの駆動を維持させ（ステップＳ１１０）、その後に手順をリターンさせて今回の処理を終了する。これによれば、当該常温庫３の庫内温度は、上昇する方向に推移する。
【００３４】
圧縮機２１及びヒータＨが駆動停止している状態で入力処理部３１を通じて当該常温庫３の庫内温度を入力処理した場合（ステップＳ１０１：Ｎｏ，ステップＳ１０６：Ｎｏ，ステップＳ１１１：Ｙｅｓ）、制御部３０は、比較部３２を通じてメモリ４０より許容上限温度及び許容下限温度を読み出して、かかる目標温度と、許容上限温度、あるいは許容下限温度とを比較する。
【００３５】
庫内温度が許容上限温度を超える場合には（ステップＳ１１２：Ｙｅｓ）、制御部３０は、圧縮機駆動処理部３３を通じて圧縮機２１に駆動指令を与えて圧縮機２１を駆動させ（ステップＳ１１３）、その後に手順をリターンさせて今回の処理を終了する。これによれば、当該常温庫３の庫内温度は、低下する方向に推移する。
【００３６】
庫内温度が許容下限温度を下回る場合には（ステップＳ１１２：Ｎｏ，ステップＳ１１４：Ｙｅｓ）、制御部３０は、ヒータ駆動処理部３４を通じてヒータＨに駆動指令を与えてヒータＨを駆動させ（ステップＳ１１５）、その後に手順をリターンさせて今回の処理を終了する。これによれば、当該常温庫３の庫内温度は、上昇する方向に推移する。
【００３７】
一方、庫内温度が許容下限温度以上であって許容上限温度以下の場合（ステップＳ１１２：Ｎｏ，ステップＳ１１４：Ｎｏ）、すなわち庫内温度が常温域にある場合には、制御部３０は、処理を行うことなく現状を維持し、その後に手順をリターンさせて今回の処理を終了する。
【００３８】
このように本実施の形態１である自動販売機においては、制御部３０は、該当する商品収容庫（常温庫）３の庫内温度が目標温度よりも高い許容上限温度を超える場合には圧縮機２１を駆動させて該常温庫３の内部空気を冷却する一方、該常温庫３の庫内温度が目標温度以下となる場合には圧縮機２１を駆動停止させて該常温庫３の内部空気の冷却を停止する。また、制御部３０は、該当する常温庫３の庫内温度が目標温度よりも低い許容下限温度を下回る場合には、ヒータＨを通電状態にして該常温庫３の内部空気を加熱する一方、該常温庫３の庫内温度が目標温度以上となる場合にはヒータＨを非通電状態にして加熱を停止する。
【００３９】
つまり、冷凍サイクル２０（特に圧縮機２１及び蒸発器２４）、並びに制御部３０が、商品収容庫３の庫内温度が目標温度よりも高い許容上限温度を超える場合には、該商品収容庫３の内部空気を冷却する一方、商品収容庫３の庫内温度が目標温度以下となる場合には冷却を停止する冷却手段を構成しており、ヒータＨ及び制御部３０が、商品収容庫３の庫内温度が目標温度よりも低い許容下限温度を下回る場合には、該商品収容庫３の内部空気を加熱する一方、商品収容庫３の庫内温度が目標温度以上となる場合には加熱を停止する加熱手段を構成している。
【００４０】
以上説明したように本実施の形態１である自動販売機によれば、制御部３０が、該当する商品収容庫（常温庫）３の庫内温度が許容上限温度を超える場合には圧縮機２１を駆動させて該常温庫３の内部空気を冷却する一方、該常温庫３の庫内温度が目標温度以下となる場合には圧縮機２１を駆動停止させて該常温庫３の内部空気の冷却を停止し、かつ、該当する常温庫３の庫内温度が許容下限温度を下回る場合には、ヒータＨを通電状態にして該常温庫３の内部空気を加熱する一方、該常温庫３の庫内温度が目標温度以上となる場合にはヒータＨを非通電状態にして加熱を停止するので、外気温度に影響を受けずに該当する商品収容庫３に収容する商品を所望の温度域、すなわち常温域に調整することができる。
【００４１】
また、上記自動販売機によれば、該当する商品収容庫３の庫内温度が許容上限温度を超える場合に圧縮機２１を駆動させ、当該庫内温度が目標温度以下となる場合に圧縮機２１を駆動停止させており、当該庫内温度が許容下限温度を下回る場合にヒータＨを駆動させ、当該庫内温度が目標温度以上となる場合にヒータＨを駆動停止させているので、圧縮機２１の駆動を行う時点と、ヒータＨの駆動停止を行う時点との間には、該当する商品収容庫３の庫内温度が目標温度から許容上限温度に推移するのに要する時間に相当する分だけ時間差があり、また圧縮機２１の駆動停止を行う時点と、ヒータＨの駆動を行う時点との間には、該当する商品収容庫３の庫内温度が目標温度から許容下限温度に推移するのに要する時間に相当する分だけ時間差がある。そのため、チャタリング等が生じてしまうことを抑制することができる。
【００４２】
＜実施の形態２＞
図５は、本発明の実施の形態２である自動販売機の特徴的な制御系を模式的に示すブロック図である。尚、上述した実施の形態と同一の構成を有するものには同一の符号を付し、その説明を省略する。
【００４３】
この図５に示すように、自動販売機は、庫内温度センサＳ１及び制御部５０を備えている。
【００４４】
庫内温度センサＳ１は、各商品収容庫３の内部にそれぞれ配設されており、自身が配設された商品収容庫３の庫内温度を検知して、その検知信号を制御部５０に出力するものである。
【００４５】
制御部５０は、メモリ６０に予め記憶されたプログラムやデータにしたがって各商品収容庫３の庫内温度を制御するものである。尚、この制御部５０は、自動販売機の基本動作を制御する主制御部（図示せず）に組み込まれていても良いし、該主制御部とは独立して設けてあっても良い。ここでメモリ６０には種々の情報が記憶してあり、本発明の特徴的なものとしては、常温域温度情報が記憶してある。常温域温度情報は、上記商品収容庫３のうち収容する商品を常温域に調整する商品収容庫（常温庫）３での目標温度、許容上下限温度及び動作温度を含むものである。一例を示すと、目標温度が例えば２５℃で、許容上限温度が目標温度よりも例えば５℃高い３０℃、許容下限温度が目標温度よりも例えば５℃低い２０℃であり、第１動作温度が目標温度よりも例えば３℃高く、かつ許容上限温度よりも２℃低い２８℃、第２動作温度が目標温度よりも３℃低く、かつ許容下限温度よりも２℃高い２２℃である。
【００４６】
制御部５０は、入力処理部５１、比較部５２、圧縮機駆動処理部５３、ヒータ駆動処理部５４及びファン駆動処理部５５を備えている。
【００４７】
入力処理部５１は、庫内温度センサＳ１からの温度信号を入力処理するものである。比較部５２は、入力処理部５１を通じて入力処理された庫内温度と、メモリ６０から読み出した目標温度、許容上下限温度及び動作温度（第１動作温度、第２動作温度）のいずれかとを比較するものである。圧縮機駆動処理部５３は、圧縮機２１に駆動指令、あるいは駆動停止指令を与えて駆動、あるいは駆動停止させるものである。ヒータ駆動処理部５４は、ヒータＨに駆動、あるいは駆動停止指令を与えて、通電状態、あるいは非通電状態にさせるものである。ファン駆動処理部５５は、庫内送風ファンＦ１に駆動指令、あるいは駆動停止指令を与えて、所望の回転数で駆動、あるいは駆動停止させるものである。
【００４８】
図６は、制御部が実施する常温域制御処理の処理内容を示すフローチャートである。かかる処理内容を説明しながら本実施の形態２である自動販売機の動作について説明する。ここでは、一つの商品収容庫３が常温庫として設定されているものとし、かかる商品収容庫３の温度制御について説明する。
【００４９】
常温域制御処理における制御部５０は、入力処理部５１を通じて当該常温庫３の庫内温度を入力処理した場合（ステップＳ２０１：Ｙｅｓ）、比較部５２を通じてメモリ６０より第１動作温度を読み出して、かかる第１動作温度と庫内温度とを比較する（ステップＳ２０２）。
【００５０】
庫内温度が第１動作温度を上回る場合には（ステップＳ２０２：Ｙｅｓ）、制御部５０は、比較部５２を通じてメモリ６０より許容上限温度を読み出し、かかる許容上限温度と庫内温度とを比較する（ステップＳ２０３）。
【００５１】
庫内温度が許容上限温度を上回っている場合には（ステップＳ２０３：Ｙｅｓ）、次の処理を行う。すなわち、庫内送風ファンＦ１が駆動しているか否かを判断し（ステップＳ２０４）、庫内送風ファンＦ１が駆動していない場合には（ステップＳ２０４：Ｎｏ）、ファン駆動処理部５５を通じて庫内送風ファンＦ１に駆動指令を与えて駆動させ（ステップＳ２０５）、その後に圧縮機駆動処理部５３を通じて圧縮機２１に駆動指令を与えて圧縮機２１を駆動させる（ステップＳ２０６）。
【００５２】
また、上記ステップＳ２０４において庫内送風ファンＦ１が駆動している場合には（ステップＳ２０４：Ｙｅｓ）、制御部は、上記ステップＳ２０６の処理を行い、その後に手順をリターンさせて今回の処理を終了する。これによれば、当該常温庫３の庫内温度は、低下する方向に推移する。
【００５３】
一方、上記ステップＳ２０３において庫内温度が許容上限温度以下である場合（ステップＳ２０３：Ｎｏ）、すなわち庫内温度が第１動作温度を上回っていて、かつ許容上限温度以下である場合、制御部は、ファン駆動処理部５５を通じて庫内送風ファンＦ１に駆動指令を与えて駆動させ（ステップＳ２０７）、その後に手順をリターンさせて今回の処理を終了する。これによれば、当該常温庫３の庫内温度は、第１動作温度より高く、かつ許容上限温度以下の範囲を推移しながら、徐々に上昇することとなる。
【００５４】
庫内温度が第１動作温度以下の場合には（ステップＳ２０２：Ｎｏ）、制御部５０は、比較部５２を通じてメモリ６０より第２動作温度を読み出し、かかる第２動作温度と庫内温度とを比較する（ステップＳ２０８）。
【００５５】
庫内温度が第２動作温度を下回る場合には（ステップＳ２０８：Ｙｅｓ）、制御部５０は、比較部５２を通じてメモリ６０より許容下限温度を読み出し、かかる許容下限温度と庫内温度とを比較する（ステップＳ２０９）。
【００５６】
庫内温度が許容下限温度を下回っている場合には（ステップＳ２０９：Ｙｅｓ）、次の処理を行う。すなわち、庫内送風ファンＦ１が駆動しているか否かを判断し（ステップＳ２１０）、庫内送風ファンＦ１が駆動していない場合には（ステップＳ２１０：Ｎｏ）、ファン駆動処理部５５を通じて庫内送風ファンＦ１に駆動指令を与えて駆動させ（ステップＳ２１１）、その後にヒータ駆動処理部５３を通じてヒータＨに駆動指令を与えてヒータＨを駆動させ（ステップＳ２１２）、その後に手順をリターンさせて今回の処理を終了する。
【００５７】
また、上記ステップＳ２１０において庫内送風ファンＦ１が駆動している場合には（ステップＳ２１０：Ｙｅｓ）、制御部は、上記ステップＳ２１２の処理を行い、その後に手順をリターンさせて今回の処理を終了する。これによれば、当該常温庫３の庫内温度は、上昇する方向に推移する。
【００５８】
一方、上記ステップＳ２０９において庫内温度が許容下限温度以上である場合（ステップＳ２０９：Ｎｏ）、すなわち庫内温度が許容下限温度以上であって、第２動作温度未満である場合、制御部は、ファン駆動処理部５５を通じて庫内送風ファンＦ１に駆動指令を与えて駆動させ（ステップＳ２１３）、その後に手順をリターンさせて今回の処理を終了する。これによれば、当該常温庫３の庫内温度は、第２動作温度より低く、かつ許容下限温度以上の範囲を推移しながら、徐々に下降することとなる。
【００５９】
また、ステップＳ２０１で入力した庫内温度が第２動作温度以上であって第１動作温度以下の場合（ステップＳ２０２：Ｎｏ，ステップＳ２０８：Ｎｏ）、制御部は、庫内送風ファンＦ１、圧縮機２１、ヒータＨを駆動させないで、その後に手順をリターンさせて今回の処理を終了する。
【００６０】
このように本実施の形態２である自動販売機においては、制御部５０は、該当する商品収容庫（常温庫）３の庫内温度が許容上限温度を超える場合には圧縮機２１を駆動させるとともに庫内送風ファンＦ１を駆動させて該常温庫３の内部空気を冷却し、該常温庫３の庫内温度が許容上限温度以下となる場合には圧縮機２１を駆動停止させて該常温庫３の内部空気の冷却を停止する。この際、庫内温度が第１動作温度を超える場合には、庫内送風ファンＦ１の駆動を継続し、庫内温度が第１動作温度以下となる場合に庫内送風ファンＦ１の駆動を停止させる。
【００６１】
また、制御部５０は、該当する常温庫３の庫内温度が許容下限温度を下回る場合には、ヒータＨを通電状態にするとともに庫内送風ファンＦ１を駆動させて該常温庫３の内部空気を加熱し、該常温庫３の庫内温度が許容下限温度以上となる場合にはヒータＨを非通電状態にして加熱を停止する。この際、庫内温度が第２動作温度を下回る場合には、庫内送風ファンＦ１の駆動を継続し、庫内温度が第２動作温度以上となる場合に庫内送風ファンＦ１の駆動を停止させる。
【００６２】
以上説明したように本実施の形態２である自動販売機によれば、制御部５０が、商品収容庫３の庫内温度が目標温度よりも高い許容上限温度を超える場合には、圧縮機２１を駆動させるとともに庫内送風ファンＦ１を駆動させて該商品収容庫３の内部空気を冷却する一方、商品収容庫３の庫内温度が許容上限温度以下となる場合には圧縮機２１の駆動を停止し、商品収容庫３の庫内温度が目標温度よりも低い許容下限温度を下回る場合には、ヒータＨを駆動させるとともに庫内送風ファンＦ１を駆動させて該商品収容庫３の内部空気を加熱する一方、商品収容庫３の庫内温度が許容下限温度以上となる場合にはヒータＨの駆動を停止し、商品収容庫３の庫内温度が目標温度よりも高く、かつ許容上限温度よりも低い第１動作温度を超える場合、あるいは該庫内温度が前記目標温度よりも低く、かつ前記許容下限温度よりも低い第２動作温度を下回る場合には、庫内送風ファンＦ１を駆動させる一方、商品収容庫３の庫内温度が第１動作温度以下となる場合、あるいは該庫内温度が第２動作温度以上となる場合には庫内送風ファンＦ１の駆動を停止するので、圧縮機２１及び庫内送風ファンＦ１が駆動する温度域、ヒータＨ及び庫内送風ファンＦ１が駆動する温度域、庫内送風ファンＦ１のみが駆動する温度域及びいずれも駆動させない温度域を形成することができる。そして、庫内送風ファンＦ１のみが駆動する温度域を設けたことで、庫内温度が許容上限温度を超える回数、並びに庫内温度が許容下限温度を下回る回数を低減させることができ、これにより圧縮機２１及びヒータＨの駆動回数を低減させることができ、消費電力量の低減化を図りながら、外気温度に影響を受けずに商品を予め決められた目標温度を含む所定の常温域に調整して収容することができる。
【００６３】
以上、本発明の好適な実施の形態１及び実施の形態２について説明したが、本発明はこれらに限定されるものではなく、種々の変更を行うことができる。
【００６４】
上述した実施の形態１及び実施の形態２では、ヒータＨを用いて商品収容庫３の内部空気を加熱していたが、本発明においては、ヒータＨによる加熱に限られず、圧縮機で圧縮された冷媒を凝縮させる凝縮器を該当する商品収容庫の内部に配設することにより内部空気の加熱を行ってもよい。すなわちヒートポンプ運転を適用してもよい。
【符号の説明】
【００６５】
１  本体キャビネット
３  商品収容庫
２０  冷凍サイクル
２１  圧縮機
２４  蒸発器
３０  制御部
３１  入力処理部
３２  比較部
３３  圧縮機駆動処理部
３４  ヒータ駆動処理部
４０  メモリ
Ｈ  ヒータ
Ｓ１  庫内温度センサ
【図１】
0005577874.tif 000002
【図２】
0005577874.tif 000003
【図３】
0005577874.tif 000004
【図４】
0005577874.tif 000005
【図５】
0005577874.tif 000006
【図６】
0005577874.tif 000007